(57)【要約】【課題】軸部材の端部に径が拡大した拡径部が設けられていても、軸部材が挿入される挿入孔において軸部材が支持される長さを調節するための位置調整装置を提供すること。【解決手段】ケースの挿通孔部は、開口部から挿入された軸部材を収容する軸部材収容部を有し、開口部における第一開口縁部は、軸部材と軸部材収容部とが同軸の状態においては、軸部材の拡径部が通過すること阻害し、軸部材の係合部が通過することを許容し、第一開口部は、拡径部が第二開口部から挿入された状態で、軸部材をケースに対して相対移動可能な位置に設けられる。ケースは、ロック部材の移動を抑制する支持部を有し、係合部は、軸部材がロック部材に対して相対移動可能な範囲において被係合部と係合できる軸方向の範囲に設けられ、軸部材は、係合部と被係合部との係合において、軸部材による第一開口縁部への当接によって、軸部材に加わる揺動方向の力を支持できる。【選択図】図５
2019044803.tif 000002
【特許請求の範囲】
【請求項１】
係合部と、前記係合部よりも先端側に設けられた拡径部とが設けられた軸部材と、
前記係合部と係合する被係合部を有するロック部材と、
前記軸部材が挿通される挿通孔部を有するケースと、
を備えた位置調整装置であって、
前記挿通孔部は、前記軸部材が挿入される開口部と前記開口部から挿入された前記軸部材を収容する軸部材収容部とを有し、
前記開口部は、前記軸部材収容部が延びる方向に設けられた第一開口部と、前記軸部材収容部が延びる方向と交わる方向に設けられた第二開口部とを有し、
前記第一開口部は、第一開口を形成する第一開口縁部を有し、
前記第一開口縁部は、前記軸部材と前記軸部材収容部とが同軸の状態においては、前記拡径部が通過することを前記拡径部との当接で阻害する一方で、前記係合部が通過することを許容し、
前記第一開口部は、前記軸部材収容部における前記軸部材が収納される位置の調整をするために、前記拡径部が前記第二開口部から挿入された状態で、前記軸部材を前記ケースに対して相対移動可能な位置に設けられ、
前記ケースは、前記ロック部材の前記軸部材の軸方向の移動を抑制する支持部を有し、
前記係合部は、前記軸部材が前記ロック部材に対して相対移動可能な範囲において前記被係合部と係合できる軸方向の範囲に設けられ、
前記軸部材は、前記係合部が前記被係合部と係合した状態において、前記軸部材による前記第一開口縁部への当接によって、前記軸部材に加わる揺動方向の力を支持することができる、
位置調整装置。
【請求項２】
前記係合部は複数の係合歯が外周に設けられた歯合部を有し、
前記被係合部には、前記係合歯と係合する複数の被係合歯を有する被歯合部が設けられ、
前記支持部には、ロック部材をケース外側から挿入可能な装着開口部と、ロック部材が収容されるロック部材収容部と、前記ロック部材収容部と前記軸部材収容部とを連通させる連通部とを有する装着部が設けられている、
請求項１に記載の位置調整装置。
【請求項３】
前記軸部材収容部は、前記軸部材が収容される内側空間を形成する内壁を有し、
前記拡径部による前記軸部材収容部の内壁への当接により、前記軸部材に加わる揺動方向の力が支持される、
請求項１または２に記載の位置調整装置
【請求項４】
請求項１〜３のいずれかに記載の位置調整装置と、
前記軸部材が一端に接続するインナーケーブルと、
前記インナーケーブルが挿通されるアウターケーシングと
を備え、
前記ケースには、前記インナーケーブルを有するコントロールケーブルの接続対象と接続する接続部が設けられた、
コントロールケーブルアッセンブリ。
【発明の詳細な説明】
【技術分野】
【０００１】
本発明は、位置調整装置およびこれを備えるコントロールケーブルアッセンブリに関する。
【背景技術】
【０００２】
トランスミッションとシフトレバーとを連結するコントロールケーブルなど、作動部と操作部との間の配索されるコントロールケーブルは、インナーケーブルが所定の張力の状態で配索されるように、インナーケーブルの端部と当該端部が接続される接続対象物との間に長さ調整装置が用いられている（特許文献１参照）。
【先行技術文献】
【特許文献】
【０００３】
【特許文献１】特開２００７−２０５３６６号公報
【発明の概要】
【発明が解決しようとする課題】
【０００４】
このような長さ調整装置は、軸方向に長さを有する軸部材であるロッドと、そのロッドの一端側に配置されるホルダーと、そのホルダーに押し込まれてロッドと係合してロッドの相対移動を規制するロック部材とが用いられている。しかし、長さ調整装置を簡単に組み立てることができるように、大径部やバネ受けが先端に設けられたロッドを用いてホルダーの貫通孔に挿通した場合には、当該貫通孔の内径が大きくなるために、貫通孔を形成する内周壁とロッドの外周面との間に間隙が生じてしまう。このような間隙は、ロッドが振動した場合には、ロッドの揺動が生じる原因となってしまう。
【０００５】
本発明は、軸部材の端部に径が拡大した拡径部が設けられていても、当該軸部材が挿入される挿入孔において軸部材が支持される長さを調節するための位置調整装置およびこれを備えるコントロールケーブルアッセンブリを提供することを目的とする。
【課題を解決するための手段】
【０００６】
本発明の位置調整装置は、
係合部と、前記係合部よりも先端側に設けられた拡径部とが設けられた軸部材と、
前記係合部と係合する被係合部を有するロック部材と、
前記軸部材が挿通される挿通孔部を有するケースと、
を備えた位置調整装置であって、
前記挿通孔部は、前記軸部材が挿入される開口部と前記開口部から挿入された前記軸部材を収容する軸部材収容部とを有し、
前記開口部は、前記軸部材収容部が延びる方向に設けられた第一開口部と、前記軸部材収容部が延びる方向と交わる方向に設けられた第二開口部とを有し、
前記第一開口部は、第一開口を形成する第一開口縁部を有し、
前記第一開口縁部は、前記軸部材と前記軸部材収容部とが同軸の状態においては、前記拡径部が通過することを前記拡径部との当接で阻害する一方で、前記係合部が通過することを許容し、
前記第一開口部は、前記軸部材収容部における前記軸部材が収納される位置の調整をするために、前記拡径部が前記第二開口部から挿入された状態で、前記軸部材を前記ケースに対して相対移動可能な位置に設けられ、
前記ケースは、前記ロック部材の前記軸部材の軸方向の移動を抑制する支持部を有し、
前記係合部は、前記軸部材が前記ロック部材に対して相対移動可能な範囲において前記被係合部と係合できる軸方向の範囲に設けられ、
前記軸部材は、前記係合部が前記被係合部と係合した状態において、前記軸部材による前記第一開口縁部への当接によって、前記軸部材に加わる揺動方向の力を支持することができる。
【０００７】
本発明のコントロールケーブルアッセンブリは、
上記構成の位置調整装置と、
前記軸部材が一端に接続するインナーケーブルと、
前記インナーケーブルが挿通されるアウターケーシングと
を備え、
前記ケースには、前記コントロールケーブルの接続対象と接続する接続部が設けられている。
【発明の効果】
【０００８】
本発明によれば、軸部材の端部に径が拡大した拡径部が設けられていても、当該軸部材が挿入される挿入孔において軸部材が支持される。
【図面の簡単な説明】
【０００９】
【図１】本発明の実施の形態に係る位置調整装置を有するコントロールケーブルアッセンブリによりシフトレバーとトランスミッションとの間を接続した状態を示す概略図である。
【図２】本発明の実施の形態に係る位置調整装置の外観斜視図である。
【図３】本発明の実施の形態に係る位置調整装置の平面図である。
【図４】図３のＡ−Ａ線断面図である。
【図５】図４に示す位置調整装置の要部拡大図である。
【図６】本発明の実施の形態に係る位置調整装置の分解斜視図である。
【図７】図６に示すケースとロック部材の正面図である。
【図８】図６に示すケースとロック部材の側面図である。
【発明を実施するための形態】
【００１０】
以下、本発明の実施の形態について、図面を参照して詳細に説明する。
【００１１】
＜位置調整装置の全体構成＞
位置調整装置は、例えば、作動部と操作部との間に配索されるケーブルに取り付けられ、接続対象に対するケーブルの長さを調整して、ケーブルに所望の張力を付与するアジャスト装置として用いられる。
【００１２】
位置調整装置１０は、具体的には、図１に示すように、車両において、操作部の一例であるシフトレバー装置２のシフトレバー２ａと、被操作部の一例としてのトランスミッション３との間に配索されるコントロールケーブル７０に設けられる。コントロールケーブル７０は、シフトレバー２ａの操作を、トランスミッション３に伝達する。なお、コントロールケーブル７０は、シフトレバー装置２のシフトレバー２ａと、接続対象であるトランスミッション３とを接続するインナーケーブル７２と、インナーケーブル７２が挿通されたアウターケーシング７４とを有する。
位置調整装置１０は、コントロールケーブル７０におけるインナーケーブル７２と、インナーケーブル７２の接続対象であるトランスミッション３の揺動レバー３４との間に配置され、トランスミッション３に接続されるインナーケーブル７２の長さを調整する。
位置調整装置１０は、コントロールケーブル７０とともにコントロールケーブルアッセンブリ１に含まれる。
【００１３】
位置調整装置１０は、図２〜図８に示すように、軸部材２０が挿通されるケース４０において、軸部材２０と係合するロック部材３０における軸部材２０の軸方向の移動を抑制して、軸部材２０と、ケース４０に接続される接続対象との間の長さを調整可能とする装置である。
【００１４】
位置調整装置１０は、本実施の形態では、アウターケーシング７４に挿通されるインナーケーブル７２の一端に軸部材２０を加締め或いは接着等により固定してる。インナーケーブル７２が軸部材２０のケース側とは反対側の端部において接続することにより、インナーケーブル７２は、軸部材２０およびケース４０を介して接続対象と接続する。ケース４０に設けられた接続部５０に接続する接続対象は、インナーケーブル７２が接続する接続対象となり、コントロールケーブル７０の接続対象となる。
【００１５】
位置調整装置１０は、係合部２２と拡径部２４とが設けられた軸部材２０と、係合部２２と係合する被係合部３２を有するロック部材３０と、軸部材２０が挿通される挿通孔部４２を有するケース４０とを備える。
【００１６】
＜軸部材２０の構成＞
軸部材２０は、一部がケース４０に収納されて、ロック部材３０と係合する。軸部材２０がロック部材３０と係合することにより軸部材２０のケース４０に対する位置が固定されて、軸部材２０からケース４０の接続部５０において接続する接続対象までの長さが調整される。
軸部材２０は、ケース４０内に挿入される。
軸部材２０は、係合部２２がロック部材３０の被係合部３２と係合した状態において、軸部材２０によるケース４０の挿通孔部４２への当接によって、軸部材２０に加わる揺動方向の力、軸部材２０に径方向の外側から加わる力を支持可能である。
【００１７】
軸部材２０は、例えば、ケース４０の挿通孔部４２に挿通可能である軸状であれば、どのように構成されてもよく、本実施の形態では、ロッドとしているが、これに限らず、ワイヤーなどの可撓性を有する軸部材２０であってもよい。軸部材２０の外形は、円形、矩形、多角形等どのような形状であってもよく、また、軸部材２０は、係合部２２と拡径部２４を有していれば、中実軸状であっても中空軸状であってもよい。
【００１８】
係合部２２は、ロック部材３０の被係合部３２と係合するものである。係合部２２は、被係合部３２との係合により、軸部材２０の軸方向の移動を規制する。
係合部２２は、軸部材２０の外周に、被係合部３２と軸方向で係合する部分を有する。
【００１９】
係合部２２は、軸部材２０がロック部材３０に対して相対移動可能な範囲において被係合部３２と係合できる軸方向の範囲に設けられる。これにより、位置調整装置１０が用いられる用途に応じて、ロック部材３０の軸方向の長さを短くでき、これに対応してケース４０の軸方向の長さを短くすることができる。軸部材２０は、ケース４０に対する所定の相対位置の範囲においてロック部材３０と係合することができる。
本実施の形態では、係合部２２は、複数の係合歯２２２が外周に設けられた歯合部である。
【００２０】
係合部２２は、ロック部材３０の被係合部３２と係合して、軸部材２０とロック部材３０との互いの軸方向への相対移動を規制する。
係合部２２は、被係合部３２と係合して、軸部材２０の軸方向の移動を規制するものであれば、どの様な形状に形成されてもよく、凹凸部を有してもよい。
係合部２２は、軸部材２０がロッドである場合、ロッド外周部分において、放射方向に張り出す突状を有するように、円環フランジ状を有してもよい。また、係合部２２は、外周に凹状を有してもよい。また、係合部２２は、ロッドの外周に設けられた円環状の歯、連続した螺旋状部、或いは、突起等のような形状を有しても良い。
複数の係合歯２２２は、本実施の形態では、それぞれ係合部２２の外周の全周に渡って放射方向に張り出して配置される円環状に設けられている。
【００２１】
拡径部２４は、ケース４０に対する軸部材２０の軸方向における抜け止め部として機能し、軸部材２０がケース４０から抜けることを防止する。拡径部２４は、軸部材２０に対してケース４０外への抜け方向の力が作用したときに、ケース４０と係合してケース４０からの軸部材２０の抜け止めを行う。また、拡径部２４は、ロック部材３０と軸部材２０とが相対移動した際に、ロック部材３０の外面と係合して、ケース４０からの抑制を図ることもできる。
拡径部２４は、軸部材２０において、軸部材本体を拡径した部位を有する。
【００２２】
拡径部２４は、軸部材２０において、係合部２２よりも先端側で、ロック部材３０と軸部材２０との係合を阻害しない位置に設けられる。なお、本実施の形態では、拡径部２４は、軸部材２０の先端に設けられている。
拡径部２４の外径は、軸部材２０の軸部本体の外径よりも大きい。拡径部２４は、例えば、円環状のフランジ部である。拡径部２４は、ケース４０と係合することで、抜け止め機能が発揮される形状であれば、どのような形状でもよく、円環状でなくてもよい。拡径部２４は、軸部材２０において、軸部本体の外周から放射方向に張り出す形状であれば、どのような形状を有してもよい。拡径部２４は、後述の挿通孔部４２の内径と略同一の外径を有していてもよい。
【００２３】
＜ロック部材３０の構成＞
ロック部材３０は、ケース４０に装着されて、軸部材２０の係合部２２に、被係合部３２を係合させる。また、ロック部材３０は、ケース４０に装着されて、ケース４０の支持部４９により軸部材２０の軸方向の移動が規制される。
【００２４】
被係合部３２は、本実施の形態では、係合部２２である歯合部と歯合する被歯合部である。被係合部３２は、係合部２２と係合可能となるよう係合部２２の形状に対応する形状を有する。被係合部３２は、係合部２２の複数の係合歯２２２と係合する複数の被係合歯３２２を有する。被係合歯３２２と係合歯２２２とが係合することにより、軸部材２０とケース４０の軸方向への相対移動が規制される。本実施の形態では、係合歯２２２は、係合部２２の外周に設けられ、被係合歯３２２は、係合部２２の外周に外嵌可能な形状を有する被係合部３２の内周に設けられる。これにより、本実施の形態における被係合歯３２２と係合歯２２２との係合は、軸部材２０の軸方向及び径方向の係合となり、軸部材２０の揺動方向への移動を規制できる。
【００２５】
本実施の形態では、ロック部材３０は、直方形状を有し、断面が略Ｕ字状の溝形状を有する被係合部３２を有する。略Ｕ字状の被係合部３２の内周面には、複数の被係合歯３２２が設けられている。被係合歯３２２は、係合歯２２２と係合可能となるよう係合歯２２２の形状に対応する形状を有する。例えば、係合部２２が、外周に同軸上で並ぶ複数の円環状の係合歯２２２を有する構成では、被係合部３２は、内周で周方向に沿って配置される凸部を複数並べて、係合歯２２２と係合可能に構成される。ロック部材３０が、一面側からケース４０に装着されると、被係合部３２は、軸部材２０の係合部２２に係合する。
【００２６】
＜ケース４０の構成＞
ケース４０は、挿通孔部４２と、挿通孔部４２に挿通される軸部材２０と係合するロック部材３０を支持する支持部４９を有する。
挿通孔部４２は、軸部材２０が挿入される開口部４４と、開口部４４から挿入された軸部材２０を収容する軸部材収容部４６とを有する。挿通孔部４２は、ケース４０に、ケース４０に収容される軸部材２０の軸方向に延びている。
【００２７】
開口部４４は、ケース４０において、軸部材２０が挿通される軸部材挿入口として機能し、挿入される軸部材２０を、開口部４４に挿通した状態で軸部材収容部４６内に挿入可能にする。
開口部４４は、軸部材２０の拡径部２４と係合部２２とが挿入可能に構成されている。開口部４４は、第一開口部４７と第二開口部４８とを有する。
【００２８】
第一開口部４７は、図６から図８に示すように、軸部材収容部４６が延びる方向に設けられ、第二開口部４８は、軸部材収容部４６が延びる方向と交わる方向に設けられる。
第一開口部４７は、軸部材収容部４６に収容される軸部材２０の軸方向で開口し、第二開口部４８は、軸部材収容部４６に収容される軸部材２０の軸方向と交差する方向で開口する。第一開口部４７は、第二開口部４８に連通する。
第一開口部４７は、軸部材本体と係合部２２とが挿入可能であるが、拡径部２４が挿入できない大きさを有し、第二開口部４８は、拡径部２４が挿通可能な大きさの第二開口縁部４８２を有する。軸部材２０の拡径部２４は、第一開口部４７に連通する第二開口部４８を介して、支持部４９である装着部内に挿入されて、軸部材２０が軸部材収容部４６と同軸上に位置する。
【００２９】
第一開口部４７は、軸部材２０が挿通される第一開口４７２ａを形成する第一開口縁部４７２を有する。
【００３０】
第一開口部４７は、軸部材収容部４６における軸部材２０が収納される位置の調整をする。軸部材２０が第一開口部４７から延出する長さを調整することで軸部材２０とケース４０との相対位置の調整をすることができる。そのために、第一開口部４７は、拡径部２４が第二開口部４８から挿入されて軸部材収容部４６へと至った状態で、軸部材２０をケース４０に対して相対移動可能な位置に設けられる。なお、本実施の形態では、第一開口部４７は、軸部材収容部４６に対して同軸上に配置されている。
【００３１】
第一開口縁部４７２は、第一開口４７２ａを規定し、軸部材２０と軸部材収容部４６とが同軸の状態においては、拡径部２４が通過することを拡径部２４との当接で阻害する一方で、係合部２２が通過することを許容する。
【００３２】
軸部材２０と軸部材収容部４６とが同軸の状態であれば、軸部材２０がケース収容状態において、第一開口縁部４７２は、第一開口４７２ａに拡径部２４を通過させず係合部２２と軸部本体とを通過させることができる。
【００３３】
第一開口縁部４７２は、ケース４０において、軸部材２０と軸方向に沿って面接触可能に設けられている。第一開口縁部４７２は、軸方向に延びる面を有し、軸部材２０の外周と面接触可能である。第一開口縁部４７２は、係合部２２が被係合部３２と係合した状態において、軸部材２０と軸方向で面接触することにより、軸部材２０に加わる揺動方向の力を支持できる。
【００３４】
第一開口縁部４７２は、軸部材２０がケース収容状態である場合、軸部材２０が軸方向にケース非収容状態となるように移動しようとすると、軸部材２０の拡径部２４が第一開口部４７のケース４０の軸方向内側の縁部で当接する。
この当接により、軸部材収容部４６と同軸で配置された軸部材２０は、ケース４０から軸方向に抜けなくなり、第一開口縁部４７２は、抜け止めとして機能する。
また、軸部材２０と軸部材収容部４６とが同軸の状態において、第一開口縁部４７２は、係合部２２を第一開口４７２ａに通過させることができるため、軸部材２０をケース４０に対して軸方向に相対的に移動させることができる。これにより、軸部材２０のケース４０に対する長さを調整できる。
【００３５】
第一開口部４７は、例えば、ケース４０のケース本体において、軸部材２０が挿通される部位とは異なる部位でも開口し、この開口部分で、拡径部２４が挿通可能な第二開口部４８に連通する連通部分を構成する。
この連通部分を介して第一開口部４７の第一開口縁部４７２に一方向の移動（図６のＤ１方向参照）で拡径部２４が軸部材収容部４６へと導かれるように軸部本体を移動させることができるので、拡径部２４を軸部材収容部４６の軸方向と同軸の位置に容易に配置できる。
【００３６】
第一開口縁部４７２は、本実施の形態では、図７及び図８に示すように、ケース４０の一側面に、軸方向で開口するとともに、軸方向と直交する方向である側方に開口した断面略Ｕ字形状を有する。
Ｕ字状の第一開口縁部４７２は、軸方向で開口する部位として、Ｕ字状の奥側の領域、つまり、底面と対向する２面とが接続した部位（「軸部材保持部」ともいう）４７２１を有する。第一開口縁部４７２では、軸部材保持部４７２１にケース収容状態の軸部材２０が挿通される。
また、第一開口縁部４７２は、軸部材２０が挿通される部位とは異なる部位で開口する部位として、軸部材保持部４７２１の対向する２面にそれぞれ連続する２面を有し、側方に開口する部位（「軸部材導入部」ともいう）４７２２を有する。第一開口縁部４７２では、軸部材導入部４７２２で第二開口部４８と連通する。
【００３７】
第一開口縁部４７２の軸部材保持部４７２１は、軸部材収容部４６と同軸で開口する領域であり、軸部材２０と軸部材収容部４６とが同軸の状態において、拡径部２４が通過することを拡径部２４の当接で阻害する間隔を有する。なお、間隔は、第一開口縁部４７２において軸方向と交差する方向に延在する対向面間の間隔である。
一方、軸部材導入部４７２２における対向面間の間隔は、軸部材２０が側方から導入可能であり導入された軸部材を軸部材保持部４７２１に案内するものであればどのような間隔でもよい。例えば、軸部材導入部４７２２における対向面間の間隔は、軸部材保持部４７２１における対向面間の間隔と同じでもよいし、第二開口部４８の第二開口縁部４８２において軸方向に延びる対向面間の間隔よりも狭くてもよい。また、軸部材導入部４７２２における対向面間の間隔は、第二開口部４８における対向面間の間隔と同じでもよく、軸部材導入部４７２２における対向面間の間隔より広くても良い。この場合、第一開口部４７は、軸部材導入部４７２２から軸部材保持部４７２１に向かって狭窄する対向面を有するＵ字形状を有したり、対向面に設けた段差により対向面間の間隔が軸部材保持部４７２１に向かって狭くなるＵ字状を有する。これにより、軸部材２０を第一開口部４７及び第二開口部４８に挿入する際の作業を容易に行うことができる。
【００３８】
支持部４９は、ロック部材３０を支持し、挿通孔部４２に挿通される軸部材２０の軸方向の移動を抑制する。
支持部４９は、本実施の形態では、ロック部材３０が装着される装着部である。支持部４９は、装着開口部４９２と、ロック部材収容部４９４と、連通部４９６とを有する。支持部４９は、ロック部材３０の形状に対応した形状を有することが好ましい。支持部４９は、本実施の形態では、ケース４０の装着部である矩形状の開口を有し、ロック部材３０の形状に対応した形状を有している。支持部４９は、内部に配置されるロック部材３０の軸方向（ケース４に収容された軸部材２０の軸方向）と、軸方向と直交する方向（ケース４に収容された軸部材２０の軸周り方向）との移動を規制している。
例えば、支持部４９が、ロック部材３０を収容する矩形開口部を有する装着部である場合、ロック部材３０の装着時に互いに対向する側面どうしの双方に、互いに係合する爪部５５（図７参照）と凹部３５（図８参照）とを設け、ロック部材３０を装着した際に、爪部５５（図７参照）と凹部３５（図８参照）とが係合して、ロック部材３０が支持部４９に内嵌するようにしてもよい。
【００３９】
装着開口部４９２は、ロック部材３０をケース４０の外側から挿入可能であり、支持部４９における開口の上面側部分である。
ロック部材収容部４９４は、装着開口部４９２を介してケース４０の外側から挿入されるロック部材３０を収容する部分であり、装着開口部４９２よりもロック部材３０の挿入方向側、つまり、図５では装着開口部４９２よりも下側の部分である。
ロック部材収容部４９４と軸部材収容部４６とは、連通部４９６により連通されている。連通部４９６は、ロック部材収容部４９４と軸部材収容部４６とが交差する境界部分である。
【００４０】
軸部材収容部４６は、軸部材２０が収容される内側空間を形成する内壁４６２を有する。内壁４６２は、拡径部２４による前記軸部材収容部４６が当接することにより、軸部材２０に加わる揺動方向の力を支持する。
軸部材収容部４６は、ケース４０において、拡径部２４の外周面が摺動可能な内径を有する中空部であり、支持部４９としての装着部に連続して配置され、装着部に連通する。なお、支持部４９は、本実施の形態では、装着部として、ケース４０において、一端面部に設けられた第一開口部４７に連続して配置され、第一開口部４７に連通する。
【００４１】
位置調整装置１０の軸部材２０はインナーケーブル７２の一端に接続され、ケース４０に、コントロールケーブル７０の接続対象と接続する接続部５０が設けられる。
【００４２】
＜組立方法＞
図６に示すように、ケース４０の第二開口部４８と第一開口部４７の第二開口部４８に連通する部位から、ここではケース４０の側方の開口から、軸部材２０の拡径部２４が第二開口部４８を通過するように、軸部材２０を矢印Ｄ１方向に移動させて、ケース４０に軸部材を挿入する。そして、係合部２２を第一開口４７２ａ内に挿入する。このとき、拡径部２４は、第二開口部４８を通って、第一開口縁部４７２から挿入されずに、軸部材収容部４６内に位置される。軸部材２０のうちの拡径部２４よりも小径の部位（例えば軸部本体や係合部２２）が第一開口縁部４７２を通過して、拡径部２４が軸部材収容部４６内に導かれるように、軸部材２０がケース４０に対して相対移動させられる。
このように、軸部材２０は、第一開口部４７と第二開口部４８の連通する部位を介してケース４０に一方向（矢印Ｄ１方向）で挿入するだけで、ケース４０に対して位置決め可能な状態、つまり、軸部材２０と軸部材収容部４６とを同軸の状態にすることができる。
【００４３】
軸部材２０と軸部材収容部４６とが同軸の状態に位置する。この状態における軸部材２０は、ケース４０に対して、軸部材収容部４６内における拡径部２４の軸方向へ移動する長さの分だけ、ケース４０からの導出長さが調整できる。つまり、軸部材収容部４６における軸部材２０の収容位置に応じて、軸部材２０と、ケース４０、具体的にはケース４０に設けられる接続部５０との間の長さを調整できる。すなわち、拡径部２４を軸部材収容部４６内に収容した状態で、軸部材２０を軸方向に移動することにより、軸部材２０をケース４０に対して所定の位置に位置させる。このとき、軸部材２０の拡径部２４は軸部材収容部４６内に収容され、内壁４６２に当接しているため、軸部材２０は、軸部材収容部４６の内壁４６２により、軸部材２０に加わる揺動方向の力を支持される。
【００４４】
また、この状態では、軸部材２０は、挿通孔部４２を軸方向に移動可能であり、軸部材２０が軸方向で挿通孔部４２から抜ける方向に移動しても、第一開口縁部４７２に拡径部２４が当接する。これにより、軸部材２０が挿通孔部４２から抜けることがなく、軸部材２０がケース４０から抜け落ちること無く、ケース４０に対する位置決め作業を容易に行うことができる。また、拡径部２４の外周が軸部材収容部４６と接している場合には、軸部材２０の揺動をさらに抑制することができる。
【００４５】
また、このような軸部材２０の所定長さ調整状態、つまり、軸部材収容部４６における軸部材２０の収納位置を調整する状態において、ケース４０の支持部４９である装着部内では、軸部材２０の係合部２２が露出している。なお、係合部２２は、軸部材２０の長さ調整範囲に対応して軸部材２０に軸方向に沿って配置されているので、軸部材収容部４６から拡径部２４が抜けるまで常に装着部内で露出する。
この装着部内に、装着開口部４９２を介してロック部材３０を挿入する（矢印Ｄ２方向参照）。ここでは、装着部は上下方向で貫通する矩形状の貫通孔であるため、ロック部材３０は、装着部の装着開口部４９２を介して挿入されて、ロック部材収容部４９４に収容されると、装着部を閉塞しつつ係合部２２に被係合部３２が係合する。すなわち、ロック部材３０を装着部内に挿入すると、位置が調整された軸部材２０の複数の係合歯２２２に、ロック部材３０の複数の被係合歯３２２が歯合する。
【００４６】
ロック部材３０は、被係合歯３２２を係合歯２２２に歯合させた状態で、ケース４０の支持部４９により、軸部材２０の軸方向の移動を抑制される。
これにより、軸部材２０の軸方向の移動を抑制されたロック部材３０の被係合歯３２２と係合歯２２２で歯合する軸部材２０は、軸方向への移動が規制される。また、下方にＵ字状に開口する被係合部３２の内周に設けられる被係合歯３２２は、係合部２２の外周に設けられる係合歯２２２と、軸部材２０の上面側と両側面側とで歯合するので、軸部材２０のケース４０に対する上方向及び左右方向への移動が規制される。
【００４７】
このように本実施の形態によれば、軸部材２０の拡径部２４が軸部材収容部４６の内壁４６２に当接して、ケース４０に、軸部材２０に加わる揺動方向の力を支持させることができる。つまり、軸部材２０は拡径部２４において、放射方向の移動は内壁４６２により抑制される。
【００４８】
この状態において、軸部材２０の係合歯２２２が、ケース４０により軸方向の移動が抑制されたロック部材３０の被係合歯３２２と歯合するため、軸部材２０は、ケース４０により軸方向への移動が抑制される。よって、軸部材２０の端部に径が拡大した拡径部２４が設けられていても、軸部材２０が挿入される挿通孔部４２において軸部材２０が支持される。
【００４９】
以上、本発明の実施の形態について説明した。なお、以上の説明は本発明の好適な実施の形態の例証であり、本発明の範囲はこれに限定されない。つまり、上記装置の構成や各部分の形状についての説明は一例であり、本発明の範囲においてこれらの例に対する様々な変更や追加が可能であることは明らかである。
【産業上の利用可能性】
【００５０】
本発明に係る位置調整装置は、軸部材の端部に径が拡大した拡径部が設けられていても、当該軸部材が挿入される挿入孔において軸部材が支持される長さを調節する効果を有し、車両において、操作部と作動部との間に配置されるコントロールケーブルアッセンブリに適用される位置調整装置として有用である。
【符号の説明】
【００５１】
１  コントロールケーブルアッセンブリ
２  シフトレバー装置
２ａ  シフトレバー
３  トランスミッション
１０  位置調整装置
２０  軸部材
２２  係合部
２４  拡径部
３０  ロック部材
３２  被係合部
４０  ケース
４２  挿通孔部
４４  開口部
４６  軸部材収容部
４７  第一開口部
４８  第二開口部
４９  支持部
５０  接続部
７０  コントロールケーブル
７２  インナーケーブル
７４  アウターケーシング
２２２  係合歯
３２２  被係合歯
４６２  内壁
４７２  第一開口縁部
４７２ａ  第一開口
４９２  装着開口部
４９４  ロック部材収容部
４９６  連通部
【図１】
2019044803.tif 000003
【図２】
2019044803.tif 000004
【図３】
2019044803.tif 000005
【図４】
2019044803.tif 000006
【図５】
2019044803.tif 000007
【図６】
2019044803.tif 000008
【図７】
2019044803.tif 000009
【図８】
2019044803.tif 000010